(57)【要約】      （修正有）【課題】インターネット上から検索されたコンテンツを有するウェブサイトが、データ放送の放送局側の管理が及ぶサイトであるか否かをユーザ側で容易に把握できるようにする。【解決手段】デジタルテレビジョン放送受信装置７は、キーワードの入力を受け付ける入力受付部６１ｆと、インターネット上の複数のＢＭＬコンテンツ提供サイトの中から、入力を受け付けたキーワードが含まれたＢＭＬ通信コンテンツを有するＢＭＬコンテンツ提供サイトを検索するサイト検索部６１ｇと、検索されたＢＭＬコンテンツ提供サイトを、放送局側の管理が及ぶ管理ウェブサイトと放送局側が非管理の非管理ウェブサイトとに分類するサイト分類部６１ｋと、分類された管理ウェブサイトの見出し情報と非管理ウェブサイトの見出し情報との各々を視覚的に判別可能に表示出力する表示出力部６１ｈとを備える。【選択図】図４
2009088966.tif 000002
【特許請求の範囲】
【請求項１】
文書データを含む通信コンテンツを有する複数のウェブサイトのうちの一部の前記ウェブサイトに管理を及ぼす放送局から、データ放送として放送される放送コンテンツを取得可能な放送コンテンツ取得部と、
キーワードの入力を受け付ける入力受付部と、
ネットワーク上に存在する前記複数のウェブサイトの中から、前記入力受付部により入力を受け付けた前記キーワードが文書データに含まれた通信コンテンツを有するウェブサイトを検索するサイト検索部と、
前記サイト検索部により検索されたウェブサイトを、前記放送局側の管理が及ぶ管理ウェブサイトと前記放送局側が非管理の非管理ウェブサイトとに分類するサイト分類部と、
前記サイト分類部により分類された前記管理ウェブサイトを示す情報と前記非管理ウェブサイトを示す情報との各々を視覚的に判別可能に表示出力する表示出力部と
を具備することを特徴とするデータ放送受信装置。
【請求項２】
前記放送局側の管理が及ぶウェブサイトの識別情報を取得する識別情報取得部と、
前記識別情報取得部により取得された前記識別情報に基づいて、前記サイト検索部により検索されたウェブサイトの中から前記管理ウェブサイトを特定する管理サイト特定部と
を具備することを特徴とする請求項１記載のデータ放送受信装置。
【請求項３】
前記表示出力部は、前記サイト分類部により分類された前記管理ウェブサイトのみの可視表示と前記非管理ウェブサイトのみの可視表示との表示切替制御を行う表示切替制御部を備えることを特徴とする請求項１記載のデータ放送受信装置。
【請求項４】
文書データを含む通信コンテンツを有するネットワーク上の複数のウェブサイトのうちの一部の前記ウェブサイトに管理を及ぼす放送局から、データ放送として放送される放送コンテンツを取得可能なデータ放送受信装置が行うデータ放送管理方法であって、
キーワードの入力を受け付けるステップと、
ネットワーク上に存在する前記複数のウェブサイトの中から、前記入力を受け付けた前記キーワードが文書データに含まれた通信コンテンツを有するウェブサイトを検索するステップと、
前記検索されたウェブサイトを、前記放送局側の管理が及ぶ管理ウェブサイトと前記放送局側が非管理の非管理ウェブサイトとに分類するステップと、
前記分類された前記管理ウェブサイトを示す情報と前記非管理ウェブサイトを示す情報との各々を視覚的に判別可能に表示出力するステップと
を有することを特徴とするデータ放送管理方法。
【発明の詳細な説明】
【技術分野】
【０００１】
本発明は、データ放送を受信可能なデータ放送受信装置及びデータ放送管理方法に関する。
【背景技術】
【０００２】
デジタル放送の放送波は、テレビジョン番組の映像信号や音声信号に加え、データ放送の信号を伝送することが可能である。データ放送は、デジタル放送の番組に関連した各種の情報を文字や画像などによって視聴者に提供することができる。
【０００３】
そこで、従前と同様のテレビジョン番組を放送するテレビ放送の受信と共に、文字情報を主体としたＢＭＬ（Broadcast Markup Language）放送コンテンツを配信するデータ放送の受信を可能としたデジタル放送受信装置が知られている（例えば、特許文献１参照）。
【特許文献１】特開２００７−９６６５０号公報
【発明の開示】
【発明が解決しようとする課題】
【０００４】
ところで、双方向通信（送受信）サービスを実現するいわゆるＢＭＬ通信コンテンツは、大きく分けると、上記ＢＭＬ放送コンテンツから一次的にリンクされるリンク状態のＢＭＬ通信コンテンツと、ＢＭＬ放送コンテンツから一次的にリンクされない非リンク状態のＢＭＬ通信コンテンツと、に分類される。
【０００５】
すなわち、リンク状態のＢＭＬ通信コンテンツは、放送局側の管理が及ぶコンテンツであり、その内容には、ある程度の信頼性（安全性）が確保されている。一方、非リンク状態のＢＭＬ通信コンテンツは、放送局側がコンテンツの内容について関与していない場合があり、近年のインターネット上のサイトにおいて社会的な問題となっている有害なコンテンツを含んでいるおそれがある。
【０００６】
ここで、ブラウザ機能を搭載する現行のデジタル放送受信装置により、ユーザがキーワードを指定してインターネット上のＢＭＬ通信コンテンツを有するウェブサイトを検索した場合、検索結果として提示されるウェブサイトが、リンク状態のＢＭＬ通信コンテンツを有するサイトであるか、有害なコンテンツを含むおそれのある非リンク状態のＢＭＬ通信コンテンツを有するサイトであるかを、ユーザ側で区別することができず、この点において課題を抱えている。
【０００７】
そこで本発明は、上記課題を解決するためになされたもので、ネットワーク上から検索されたコンテンツを有するウェブサイトが、放送局側の管理が及ぶサイトであるか否かをユーザ側で容易に把握することのできるデータ放送受信装置及びデータ放送管理方法の提供を目的とする。
【課題を解決するための手段】
【０００８】
上記目的を達成するために、本発明のデータ放送受信装置は、文書データを含む通信コンテンツを有する複数のウェブサイトのうちの一部の前記ウェブサイトに管理を及ぼす放送局から、データ放送として放送される放送コンテンツを取得可能な放送コンテンツ取得部と、キーワードの入力を受け付ける入力受付部と、ネットワーク上に存在する前記複数のウェブサイトの中から、前記入力受付部により入力を受け付けた前記キーワードが文書データに含まれた通信コンテンツを有するウェブサイトを検索するサイト検索部と、前記サイト検索部により検索されたウェブサイトを、前記放送局側の管理が及ぶ管理ウェブサイトと前記放送局側が非管理の非管理ウェブサイトとに分類するサイト分類部と、前記サイト分類部により分類された前記管理ウェブサイトを示す情報と前記非管理ウェブサイトを示す情報との各々を視覚的に判別可能に表示出力する表示出力部とを具備することを特徴とする。
【０００９】
本発明では、キーワードを基に検索された通信コンテンツを有するウェブサイトが、放送局側の管理が及ぶウェブサイトであるか否かを分類し、この分類した結果を反映させたかたちで各ウェブサイトを示す情報を判別可能に表示出力するものである。すなわち、本発明によれば、検索されたウェブサイトが、比較的安全な信頼性のある通信コンテンツを有するサイトであるか、また一方で、有害な通信コンテンツを含むおそれのあるサイトであるかを、ユーザ側で容易に把握することができ、これにより、検索されたウェブサイトへアクセスすべきか否かなどを的確に判断することができる。
【００１０】
さらに、本発明のデータ放送管理方法は、文書データを含む通信コンテンツを有するネットワーク上の複数のウェブサイトのうちの一部の前記ウェブサイトに管理を及ぼす放送局から、データ放送として放送される放送コンテンツを取得可能なデータ放送受信装置が行うデータ放送管理方法であって、キーワードの入力を受け付けるステップと、ネットワーク上に存在する前記複数のウェブサイトの中から、前記入力を受け付けた前記キーワードが文書データに含まれた通信コンテンツを有するウェブサイトを検索するステップと、前記検索されたウェブサイトを、前記放送局側の管理が及ぶ管理ウェブサイトと前記放送局側が非管理の非管理ウェブサイトとに分類するステップと、前記分類された前記管理ウェブサイトを示す情報と前記非管理ウェブサイトを示す情報との各々を視覚的に判別可能に表示出力するステップとを有することを特徴とする。
【発明の効果】
【００１１】
本発明によれば、ネットワーク上から検索されたコンテンツを有するウェブサイトが、放送局側の管理が及ぶサイトであるか否かをユーザ側で容易に把握することが可能なデータ放送受信装置及びデータ放送管理方法を提供することができる。
【発明を実施するための最良の形態】
【００１２】
以下、本発明の実施の形態を図面に基づき説明する。
図１は、本発明の実施形態に係るデジタル放送受信管理システム１の構成を概略的に示す図である。また、図２は、デジタル放送受信管理システム１が備えるＢＭＬ管理サーバ３の構成を示す機能ブロック図である。さらに、図３は、デジタル放送受信管理システム１が備えるデジタルテレビジョン放送受信装置（以下「ＤＴＶ装置」と記述）１及びその周辺のハードウェアの構成を示す機能ブロック図である。また、図４は、ＤＴＶ装置１の主要な制御系を示す機能ブロック図である。
【００１３】
図１及び図２に示すように、デジタル放送受信管理システム１は、ネットワークとしてのインターネット５を介して互いに接続された複数のＢＭＬ（Broadcast Markup Language）コンテンツ提供サイト９ａ、９ｂ…９ｎと、ＢＭＬ管理サーバ３と、本発明のデータ放送受信装置を実施した形態であるＤＴＶ装置７とを備える。さらに、デジタル放送受信管理システム１は、テレビジョン番組の番組放送に加え、ＢＭＬにより記述された文書データを含むＢＭＬ放送コンテンツをデータ放送により放送する放送局２を有する。
【００１４】
複数のＢＭＬコンテンツ提供サイト９ａ、９ｂ…９ｎは、ＢＭＬにより記述された文書データを含むＢＭＬ通信コンテンツを有する。また、図１、図２に示すように、ＢＭＬ管理サーバ３は、放送局２と通信を行うと共に、複数のＢＭＬコンテンツ提供サイト９ａ、９ｂ…９ｎのうちの一部のＢＭＬコンテンツ提供サイトを管理する。ここで、ＢＭＬ通信コンテンツとは、双方向通信（ダウンロード及びアップロード）サービスの対象のコンテンツであり、ＢＭＬ放送コンテンツは、放送局側から一方向に通信（ＤＴＶ装置７側を基準としてダウンロード）されるコンテンツである。
【００１５】
本実施形態では、まず、ＤＴＶ装置７の基本的構成について説明する。
すなわち、ＤＴＶ装置７は、図３に示すように、主として、薄型のキャビネット１２と、このキャビネット１２を起立させて支持する支持台１３とから構成されている。キャビネット１２には、例えばＳＥＤ（Surface-conduction Electron-emitter Display）表示パネルや液晶表示パネルなどの平面パネル型の映像表示器１４、スピーカ１５、操作部１６、リモートコントローラ１７から送信される操作情報を受ける受光部１８などが設けられている。
【００１６】
また、このＤＴＶ装置７は、例えばＳＤ（Secure Digital）メモリカード、ＭＭＣ（Multimedia Card）及びメモリスティックなどの第１のメモリカード１９が着脱可能となっており、この第１のメモリカード１９に対して番組や写真などの情報の記録再生が行なわれる。さらに、このＤＴＶ装置７は、例えば契約情報などの記録された第２のメモリカード（ＩＣカード）２０が着脱可能となっており、この第２のメモリカード２０に対して情報の記録再生が行なわれる。
【００１７】
また、このＤＴＶ装置７は、第１のＬＡＮ（Local Area Network）端子２１、第２のＬＡＮ端子２２、ＵＳＢ（Universal Serial Bus）端子２３及びｉ．ＬＩＮＫ端子２４を備えている。このうち、第１のＬＡＮ端子２１は、ＬＡＮ対応ＨＤＤ専用ポートとして用いられ、接続されたＮＡＳ（Network Attached Storage）であるＬＡＮ対応のＨＤＤ２５に対し、イーサネット（登録商標）により情報の記録再生を行なうために使用される。
【００１８】
このようにＬＡＮ対応ＨＤＤ専用ポートとしての第１のＬＡＮ端子２１を設けることにより、他のネットワーク環境やネットワーク使用状況などに影響されることなく、ＨＤＤ２５に対してハイビジョン画質による番組の情報記録を安定して行なうことができる。また、第２のＬＡＮ端子２２は、イーサネット（登録商標）を用いた一般的なＬＡＮ対応ポートとして用いられ、例えばハブ２６を介して、ＬＡＮ対応のＨＤＤ２７、ＰＣ２８、ＨＤＤ内蔵のＤＶＤ（Digital Versatile Disk）レコーダ２９などの機器を接続し、これらの機器と情報伝送を行なうために使用される。
【００１９】
なお、ＰＣ２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。また、ＤＶＤレコーダ２９については、第２のＬＡＮ端子２２を介して通信されるデジタル情報が制御系のみの情報であるため、ＤＴＶ装置７との間でアナログの映像及び音声情報を伝送するために、専用のアナログ伝送路３０を設ける必要がある。さらに、この第２のＬＡＮ端子２２は、ハブ２６に接続されたルータ（ブロードバンドルータ）８を介してインターネット５（ネットワーク）に接続されている。
【００２０】
また、上記ＵＳＢ端子２３は、一般的なＵＳＢ対応ポートとして用いられ、例えばハブ３５を介して、携帯電話３６、デジタルカメラ３７、メモリカードに対するカードリーダ／ライタ３８、ＨＤＤ３９、キーボード４０などのＵＳＢ機器を接続し、これらのＵＳＢ機器と情報伝送を行なうために使用される。さらに、上記ｉ．ＬＩＮＫ端子２４は、例えばＡＶ−ＨＤＤ４１、Ｄ（Digital）−ＶＨＳ（Video Home System）４２などをシリアル接続し、これらの機器と情報伝送を行なうために使用される。
【００２１】
ここで、本実施形態のＤＴＶ装置７は、ＢＳ／ＣＳ／地上デジタル放送を含むデジタルテレビ放送を受信可能であり、主に、映像データ、音声データ及びＢＭＬ文書データ（ＢＭＬ放送コンテンツ）が多重化された放送波が、図４に示すように、アンテナ１０、１１を介して受信される。多重分離された後、上記ＢＭＬ放送コンテンツは、制御部６１内のＲＡＭ６１ｄ上で実行されるＢＭＬブラウザ６１の機能によって閲覧可能となる。
【００２２】
具体的には、図４に示すように、ＤＴＶ装置７では、ＢＳ／ＣＳデジタル放送受信用のアンテナ１０で受信した衛星デジタルテレビジョン放送信号は、入力端子４４を介して衛星デジタル放送用のチューナ４５ａに供給される。チューナ４５ａは、制御部６１からの制御信号により所望のチャンネルの放送信号を選局し、この選局された放送信号をＰＳＫ（Phase Shift Keying）復調器４５ｂに出力する。
【００２３】
ＰＳＫ復調器４５ｂは、制御部６１からの制御信号により、チューナ４５ａで選局された放送信号を復調し、所望の番組を含んだトランスポートストリームを得て、ＴＳ復号器４５ｃに出力する。ＴＳ復号器４５ｃは、制御部６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部４７内のＳＴＤバッファ４７へ出力する。さらに、ＴＳ復号器４５ｃは、デジタル放送により送られているセクション情報を信号処理部４７内の信号処理部４７ｈへ出力する。
【００２４】
一方、地上波放送受信用のアンテナ１１で受信した地上デジタルテレビジョン放送信号は、入力端子４９を介して地上デジタル放送用のチューナ５０ａに供給される。チューナ５０ａは、制御部６１からの制御信号により所望のチャンネルの放送信号を選局し、この選局された放送信号をＯＦＤＭ（Orthogonal Frequency Division Multiplexing）復調器５０ｂに出力する。ここで、上述したアンテナ１０、１１及びチューナ４５ａ、５０ａは、互いに協働しつつ放送局２からデータ放送として放送されるＢＭＬ放送コンテンツを取得可能な放送コンテンツ取得部として機能する。また、チューナ５２ａは、制御部６１からの制御信号により所望のチャンネルの放送信号を選局し、この選局された放送信号を信号処理部４７に出力する。ＯＦＤＭ復調器５０ｂは、制御部６１からの制御信号により、チューナ５０ａで選局された放送信号を復調し、所望の番組を含んだトランスポートストリームを得て、ＴＳ復号器５０ｃに出力する。
【００２５】
ＴＳ復号器５０ｃは、制御部６１からの制御信号によりトランスポートストリーム（ＴＳ）多重化された信号のＴＳ復号処理を行い、所望の番組のデジタルの映像信号及び音声信号をデパケットすることにより得たＰＥＳを信号処理部４７内のＳＴＤバッファ４７へ出力する。また、ＴＳ復号器５０ｃは、デジタル放送により送られているセクション情報を信号処理部４７内の信号処理部４７へ出力する。
【００２６】
ここで、上記信号処理部４７は、テレビ視聴時には、ＴＳ復号器４５ｃ及びＴＳ復号器５０ｃからそれぞれ供給されたデジタルの映像信号及び音声信号に対して、選択的に所定のデジタル信号処理を施し、グラフィック処理部５４及び音声処理部５５に出力している。また、信号処理部４７は、コンテンツ再生時には、制御部６１から入力されたコンテンツの再生信号を選択し、所定のデジタル信号処理を施し、グラフィック処理部５４及び音声処理部５５に出力している。
【００２７】
また、信号処理部４７は、ＴＳ復号器４５ｃ（５０ｃ）から入力されたセクション情報の中から、番組を取得するための各種データや電子番組ガイド（ＥＰＧ）情報、番組属性情報（番組ジャンル等）、字幕情報（サービス情報、ＳＩやＰＳＩ）を制御部６１へ出力する。制御部６１は、これら入力された情報からＥＰＧ、字幕を表示するため画像生成処理を行い、この生成した画像情報をグラフィック処理部５４へ出力する。
【００２８】
グラフィック処理部５４は、信号処理部４７内のＡＶデコーダから供給されるデジタルの映像信号と、ＯＳＤ（On Screen Display）信号生成部５７で生成されるＯＳＤ信号と、データ放送による画像データと、制御部６１により生成されたＥＰＧ、字幕信号とを合成して映像処理部５８へ出力する機能を有する。また、字幕放送による字幕を表示するとき、グラフィック処理部５４は、制御部６１からの制御による字幕情報に基づき、映像信号上に字幕情報を重畳する処理を行う。
【００２９】
グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させると共に、出力端子５９を介して外部に導出させる。また、上記音声処理部５５は、入力されたデジタルの音声信号を、前記スピーカ１５で再生可能なフォーマットのアナログ音声信号に変換した後、スピーカ１５に出力して音声再生させると共に、出力端子６０を介して外部に導出させる。
【００３０】
ここで、このＤＴＶ装置７は、上記した各種の受信動作を含むその全ての動作が制御部６１によって統括的に制御されている。この制御部６１は、ＣＰＵ（Central Processing Unit）などを内蔵しており、前記操作部１６からの操作情報を受け、又はリモートコントローラ１７から送出された操作情報を、受光部１８を介して受信し、その操作内容が反映されるように各部をそれぞれ制御している。この場合、制御部６１は、主として、そのＣＰＵが実行する制御プログラムを格納したＲＯＭ（Read Only Memory）６１ａと、ＣＰＵに作業エリアを提供するＲＡＭ（Random Access Memory）６１ｄと、各種の設定情報及び制御情報などが格納される不揮発性メモリ６１ｂとを利用している。
【００３１】
また、制御部６１は、カードＩ／Ｆ（Interface）６５を介して、第１のメモリカード１９を装着可能なカードホルダ６６に接続されている。これによって、制御部６１は、カードホルダ６６に装着された第１のメモリカード１９と、カードＩ／Ｆ６５を介して情報を伝送することができる。さらに、上記制御部６１は、カードＩ／Ｆ６７を介して、第２のメモリカード２０を装着可能なカードホルダ６８に接続されている。これにより、制御部６１は、カードホルダ６８に装着された第２のメモリカード２０と、カードＩ／Ｆ６７を介して情報を伝送することができる。
【００３２】
また、制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報を伝送することができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御を行う。さらに、制御部６１は、通信Ｉ／Ｆ７０を介して第２のＬＡＮ端子２２に接続されている。これにより、制御部６１は、図３に示すように、第２のＬＡＮ端子２２に接続された各機器と、通信Ｉ／Ｆ７０を介して情報を伝送することができる。
【００３３】
また、制御部６１は、ＵＳＢ Ｉ／Ｆ７１を介してＵＳＢ端子２３に接続されている。これにより、制御部６１は、ＵＳＢ端子２３に接続された図３に示す各機器と、ＵＳＢ Ｉ／Ｆ７１を介して情報の伝送を行う。さらに、制御部６１は、ｉ．ＬＩＮＫ Ｉ／Ｆ７２を介してｉ．ＬＩＮＫ端子２４に接続されている。これにより、制御部６１は、ｉ．ＬＩＮＫ端子２４に接続された図３に示す各機器と、ｉ．ＬＩＮＫ Ｉ／Ｆ７２を介して情報伝送することができる。
【００３４】
次に、本実施形態に係るＤＴＶ装置７を備えたデジタル放送受信管理システム１の特徴的構成であるＢＭＬ通信コンテンツを有するＢＭＬコンテンツ提供サイトの検索機能を上述した図１〜図４に加え、図５〜図８に基づき説明する。ここで、図５は、ＤＴＶ装置７の映像表示器１４に表示される検索開始画面８０ａを示す図であり、図６は、ＤＴＶ装置７の映像表示器１４に表示される検索結果表示画面８０ｂを示す図である。また、図７は、放送局２側の管理が及ぶ管理ウェブサイトだけのサイト見出し情報８１、８３、８５、８６を検索結果として表示する検索結果表示画面８０ｃを示す図である。さらに、図８は、放送局２側が非管理の非管理ウェブサイトだけのサイト見出し情報８２、８４を検索結果として表示する検索結果表示画面８０ｄを示す図である。
【００３５】
図２に示すように、ＢＭＬ管理サーバ３は、データを記憶可能な記憶部３ｃと、データを送受信するための送受信部３ｂと、各部を統括的に制御する制御部３ａとを備える。制御部３ａによる制御下で送受信部３ｂは、ＤＴＶ装置７側からキーワード検索の要求を受信した場合に、図１に示すように、インターネット５上の複数のＢＭＬコンテンツ提供サイト９ａ、９ｂ…９ｎのうちで、検索対象のキーワードが含まれたＢＭＬ通信コンテンツ（文書データ）を有するＢＭＬコンテンツ提供サイトを検索する。また、送受信部３ｂは、このキーワード検索の結果をＤＴＶ装置７側に通知する。
【００３６】
また、記憶部３ｃは、インターネット５上にある複数のＢＭＬコンテンツ提供サイト９ａ，９ｂ〜９ｎのうちで、放送局２側と通信を行うＢＭＬ管理サーバ３が管理する（つまり実質的に放送局２側の管理が及ぶ）一部のＢＭＬコンテンツ提供サイトを識別するためのベースＵＲＬ情報３ｄを識別情報として記憶する。ここで、ベースＵＲＬ情報３ｄは、識別対象のＢＭＬコンテンツ提供サイトを特定できる少なくともＵＲＬ（Uniform Resource Locator）を含む情報ではあるが、その詳細な構成については、ＡＲＩＢ（Association of Radio Industries and Businesses） ＴＲ−Ｂ１４で策定された構成内容に準拠する。また、記憶部３ｃに記憶されたこのベースＵＲＬ情報３ｄは、ＢＭＬ管理サーバ３と通信を行う放送局３から放送されるデータ放送（ＢＭＬ放送コンテンツ）に挿入されて、ＤＴＶ装置７側に送信される。
【００３７】
一方、図４に示すように、ＤＴＶ装置７では、制御部６１のＲＯＭ６１ａ内に格納されたＢＭＬブラウザ本体の起動により、ＲＡＭ６１ｄ上で実行されるＢＭＬブラウザ６１ｅは、ＲＡＭ６１ｄ内のメモリ空間に作業領域を確保し、入力受付部６１ｆと、サイト検索部６１ｇと、ＵＲＬ情報取得部６１ｍ及び管理サイト特定部６１ｎを有するサイト分類部６１ｋと、表示切替制御部６１ｊを有する表示出力部６１ｈと、をソフトウェアにより実現する。
【００３８】
ここで、図３、図４に示されるリモートコントローラ１７には、ユーザ側から情報の入力操作を行うための複数の入力キーが用意されている。すなわち、リモートコントローラ１７には、上述したキーワードを入力するための複数のワード入力キー、検索開始画面表示キー、検索結果表示態様切替キーなどが設けられている。
【００３９】
ＢＭＬブラウザ６１ｅの起動により実現される上記入力受付部６１ｆは、リモートコントローラ１７上の前記検索開始画面表示キーが押され、図５に示すように、映像表示器１４に検索開始画面８０ａが表示されている状態において、キーワード入力エリア７５ａに上記ワード入力キーを通じてキーワードの入力操作を行うと共に検索開始ボタン７５ｂを押すことで、ユーザ側からのキーワードの入力を受け付ける。
【００４０】
サイト検索部６１ｇは、図１及び図４に示すように、インターネット５上の複数のＢＭＬコンテンツ提供サイト９ａ、９ｂ…９ｎの中から、入力受付部６１ｆにより入力を受け付けたキーワードが文書データに含まれたＢＭＬ通信コンテンツを有するＢＭＬコンテンツ提供サイトを検索する。具体的には、サイト検索部６１ｇは、上述したように、インターネット５を介して、ＢＭＬ管理サーバ３の送受信部３ｂに向けて、キーワードの検索要求を送信し、これを受信したＢＭＬ管理サーバ３は、検索対象のキーワードが含まれたＢＭＬ通信コンテンツを有するＢＭＬコンテンツ提供サイトを検索すると共に、このキーワード検索の結果を送受信部３ｂより、ＤＴＶ装置７側のサイト検索部６１ｇへ返信する。
【００４１】
図４に示すように、サイト分類部６１ｋは、サイト検索部６１ｇにより検索されたＢＭＬコンテンツ提供サイトを、ＢＭＬ管理サーバ３が管理する（つまりＢＭＬ管理サーバ３と通信を行う放送局２側の管理が及ぶ）管理ウェブサイトと、ＢＭＬ管理サーバ３（放送局２側）が非管理の非管理ウェブサイトとに分類する。言い換えれば、サイト分類部６１ｋは、放送局２よりデータ放送されるＢＭＬ放送コンテンツから一次的にリンクされるリンク状態のＢＭＬ通信コンテンツを有する管理ウェブサイトと、ＢＭＬ放送コンテンツから一次的にリンクされない非リンク状態のＢＭＬ通信コンテンツを有する非管理ウェブサイトと、を分類する。
【００４２】
さらに詳述すると、図４に示すように、サイト分類部６１ｋのＵＲＬ情報取得部６１ｍは、放送局２が放送するデータ放送（ＢＭＬ放送コンテンツ）より、このデータ放送に埋め込まれたＢＭＬ管理サーバ３の（記憶部３ｃに記憶された）ベースＵＲＬ情報３ｄを識別情報として取得し、取得したこのベースＵＲＬ情報３ｄを不揮発性メモリ６１ｂ内に格納する。また、サイト分類部６１ｋの管理サイト特定部６１ｎは、ＵＲＬ情報取得部６１ｍにより取得されたベースＵＲＬ情報３ｄに基づいて、サイト検索部６１ｇにより検索されたＢＭＬコンテンツ提供サイトの中から管理ウェブサイトを特定する。また、管理サイト特定部６１ｎは、サイト検索部６１ｇにより検索されたＢＭＬコンテンツ提供サイトのうちで、上記特定した管理ウェブサイト以外のサイトを非管理ウェブサイトとして判別する。
【００４３】
表示出力部６１ｈは、サイト分類部６１ｋにより分類された管理ウェブサイトを示す情報と非管理ウェブサイトを示す情報との各々を視覚的に判別可能に表示出力する。具体的には、表示出力部６１ｈは、図６に示すように、映像表示器１４に可視表示させる（ページ送りボタン８９などを含む）検索結果表示画面８０ｂ上において、管理ウェブサイトの見出し情報（タイトル情報）８１、８３、８５、８６に添えて（並べて）、リンク状態表示情報８７を表示出力すると共に、非管理ウェブサイトの見出し情報８２、８４に添えて、非リンク状態表示情報８８を表示出力する。
【００４４】
また、表示出力部６１ｈが備える表示切替制御部６１ｊは、図７に示すように、検索結果表示画面８０ｃ上において、サイト分類部６１ｋにより分類された管理ウェブサイトのみの可視表示と、図８に示すように、検索結果表示画面８０ｄ上において、非管理ウェブサイトのみの可視表示との表示切替制御を行う。詳細には、表示切替制御部６１ｊは、映像表示器１４に図６に示す検索結果表示画面８０ｂが表示されている状態において、リモートコントローラ１７上の上記検索結果表示態様切替キーが一度押された場合には、図７に示す検索結果表示画面８０ｃ上において、サイト分類部６１ｋにより分類された管理ウェブサイトのみの可視表示を行う。
【００４５】
さらに、表示切替制御部６１ｊは、映像表示器１４に図７に示す検索結果表示画面８０ｃが表示されている状態において、リモートコントローラ１７上の上記検索結果表示態様切替キーがもう一度押された場合には、図８に示す検索結果表示画面８０ｄ上において非管理ウェブサイトのみの可視表示を行う。なお、表示切替制御部６１ｊは、映像表示器１４に図７に示す検索結果表示画面８０ｃ、又は、図８に示す検索結果表示画面８０ｄのいずれかが表示されている状態において、上記検索結果表示態様切替キーを例えば所定期間以上長押した場合などに、図６に示した検索結果表示画面８０ｂを映像表示器１４に再表示させる。
【００４６】
次に、このように構成されたＤＴＶ装置７（のＢＭＬブラウザ６１ｅ）によるＢＭＬコンテンツ提供サイトの検索処理を主に図９に示すフローチャートに基づき説明する。
すなわち、ＢＭＬブラウザ６１ｅにより実現される入力受付部６１ｆは、図５及び図９に示すように、検索開始画面８０ａが表示されている状態において、キーワード入力エリア７５ａ内にキーワードの入力操作が行われ、さらに検索開始ボタン７５ｂが押された場合に、ユーザ側からのキーワードの入力を受け付ける（Ｓ１のＹＥＳ）。
【００４７】
次に、サイト検索部６１ｇは、図１及び図９に示すように、インターネット５上の複数のＢＭＬコンテンツ提供サイト９ａ、９ｂ…９ｎの中から、入力受付部６１ｆにより入力を受け付けたキーワードが文書データに含まれたＢＭＬ通信コンテンツを有するＢＭＬコンテンツ提供サイトを検索する（Ｓ２）。この際、サイト分類部６１ｋの管理サイト特定部６１ｎは、不揮発性メモリ６１ｂ内に格納されているベースＵＲＬ情報３ｄを参照して、サイト検索部６１ｇにより検索されたＢＭＬコンテンツ提供サイトの中から管理ウェブサイトを特定する。
【００４８】
続いて、サイト分類部６１ｋは、図１及び図９に示すように、サイト検索部６１ｇにより検索されたＢＭＬコンテンツ提供サイトを、ＢＭＬ管理サーバ３が管理する管理ウェブサイトと、ＢＭＬ管理サーバ３が非管理の非管理ウェブサイトとに分類する（Ｓ４）。次いで、表示出力部６１ｈは、図６に示すように、検索結果表示画面８０ｂ上において、表示出力される各見出し情報が視覚的に判別可能となるように、管理ウェブサイトの見出し情報８１、８３、８５、８６に添えて、リンク状態表示情報８７を表示出力すると共に、非管理ウェブサイトの見出し情報８２、８４に添えて、非リンク状態表示情報８８を表示出力する（Ｓ５）。
【００４９】
すなわち、本実施形態のＤＴＶ装置７を備えたデータ放送受信管理システム１は、キーワードを基に検索されたＢＭＬ通信コンテンツを有するＢＭＬコンテンツ提供サイトが、ＢＭＬ管理サーバ３側で管理する（放送局２側の管理が及ぶ）ウェブサイトであるか否かを分類し、この分類した結果を反映させたかたちで各ウェブサイトを示す情報を判別可能に表示出力するものである。したがって、本実施形態によれば、検索されたウェブサイトが、比較的安全な信頼性のある通信コンテンツを有するサイトであるか、また一方で、有害な通信コンテンツを含むおそれのあるサイトであるかを、ユーザ側で容易に把握することができ、これにより、検索されたウェブサイトへアクセスすべきか否かなどを的確に判断することができる。
【００５０】
以上、本発明を実施の形態により具体的に説明したが、本発明はこの実施形態にのみ限定されるものではなく、その要旨を逸脱しない範囲で種々変更可能である。例えば、上述した実施形態では、ＢＭＬ管理サーバ３側からＤＴＶ装置７がベースＵＲＬ情報３ｄを取得する場合に、放送局２側から放送されるデータ放送（ＢＭＬ放送コンテンツ）を通じて、ベースＵＲＬ情報３ｄを取得していたが、これに代えて、インターネット５などのネットワーク経由でＢＭＬ管理サーバ３側からベースＵＲＬ情報３ｄを取得できるようにデータ放送受信管理システム１を構成してもよい。また、上記のデータ放送（ＢＭＬ放送コンテンツ）によるベースＵＲＬ情報３ｄの取得、及び上記のネットワーク経由でのベースＵＲＬ情報３ｄの取得に代わる他の方法で、ベースＵＲＬ情報３ｄを取得し、取得したこのベースＵＲＬ情報３ｄを予めＤＴＶ装置７の不揮発性メモリ６１ｂに記憶しておくようにしてもよい。
【図面の簡単な説明】
【００５１】
【図１】本発明の実施形態に係るデジタル放送受信管理システムの構成を概略的に示す図。
【図２】図１のデジタル放送受信管理システムが備えるＢＭＬ管理サーバの構成を示す機能ブロック図。
【図３】図１のデジタル放送受信管理システムが備えるデジタルテレビジョン放送受信装置及びその周辺のハードウェアの構成を示す機能ブロック図。
【図４】図３のデジタルテレビジョン放送受信装置の主要な制御系を示す機能ブロック図。
【図５】図３のデジタルテレビジョン放送受信装置の映像表示器に表示される検索開始画面を示す図。
【図６】図３のデジタルテレビジョン放送受信装置の映像表示器に表示される検索結果表示画面を示す図。
【図７】図６と表示態様の異なる検索結果表示画面を示す図。
【図８】図６及び図７と表示態様の異なる検索結果表示画面を示す図。
【図９】図３に示すデジタルテレビジョン放送受信装置によるＢＭＬコンテンツ提供サイトの検索処理を示すフローチャート。
【符号の説明】
【００５２】
１…デジタル放送受信管理システム、２…放送局、３…ＢＭＬ管理サーバ、３ａ，６１…制御部、３ｂ…送受信部、３ｃ…記憶部、３ｄ…ベースＵＲＬ情報、５…インターネット、７…デジタルテレビジョン放送受信装置（ＤＴＶ装置）、９ａ，９ｂ〜９ｎ…ＢＭＬコンテンツ提供サイト、１０，１１…アンテナ、４５ａ、５０ａ、５２ａ…チューナ、６１ａ…ＲＯＭ、６１ｂ…不揮発性メモリ、６１ｄ…ＲＡＭ、６１ｅ…ＢＭＬブラウザ、６１ｆ…入力受付部、６１ｇ…サイト検索部、６１ｈ…表示出力部、６１ｊ…表示切換制御部、６１ｋ…サイト分類部、６１ｍ…ＵＲＬ情報取得部、６１ｎ…管理サイト特定部、７５ａ…キーワード入力エリア、７５ｂ…検索開始ボタン、８０ａ…検索開始画面、８０ｂ〜８０ｄ…検索結果表示画面、８１〜８６…見出し情報、８７…リンク状態表示情報、８８…非リンク状態表示情報。
【図１】
2009088966.tif 000003
【図２】
2009088966.tif 000004
【図３】
2009088966.tif 000005
【図４】
2009088966.tif 000006
【図５】
2009088966.tif 000007
【図６】
2009088966.tif 000008
【図７】
2009088966.tif 000009
【図８】
2009088966.tif 000010
【図９】
2009088966.tif 000011